(57)【要約】  下吸込みでありながら、フィルタ保持部品の脱着が容易に行える、メンテナンス性に優れた空気調和機の室内機を提供する。室内機本体（２）の下面に形成された下吸込み口（９）に配置されるフィルタを支持するフィルタ保持部品（２０）は、室内機本体（２）に対して室内機本体（２）の前方から室内機本体（２）の前後方向に脱着可能に設けられている。
2019244396.tif 000002
【特許請求の範囲】
【請求項１】
室内機本体の下面に空気の吸込み口を有する空気調和機の室内機であって、
前記吸込み口に配置されるフィルタを支持するフィルタ保持部品を備え、
前記フィルタ保持部品は、前記室内機本体に対して当該室内機本体の前方から当該室内機本体の前後方向に脱着可能に設けられていることを特徴とする空気調和機の室内機。
【請求項２】
前記フィルタ保持部品は、左右両側に下向きの部品側係止面を有し、
前記室内機本体は、前記フィルタ保持部品の左右両側に設けられた前記部品側係止面をそれぞれ係止する上向きの本体側係止面を有することを特徴とする請求項１に記載の空気調和機の室内機。
【請求項３】
前記部品側係止面および前記本体側係止面は、前後方向に長いことを特徴とする請求項２に記載の空気調和機の室内機。
【請求項４】
前記フィルタ保持部品の装着時に、装着方向の先端側となる前記部品側係止面の後端部を前記本体側係止面へ案内する案内部が、前記本体側係止面の前端部に設けられていることを特徴とする請求項２又は３に記載の空気調和機の室内機。
【請求項５】
前記フィルタ保持部品の装着時に、装着方向の先端側となる前記部品側係止面の後端部を前記本体側係止面へ案内する案内部が、前記部品側係止面の後端部に設けられていることを特徴とする請求項２から４の何れか１項に記載の空気調和機の室内機。
【請求項６】
前記フィルタ保持部品は前記室内機本体に装着された状態で、前記室内機本体に対して前から後に向かって前後方向にねじ締結されていることを特徴とする請求項１から５の何れか１項に記載の空気調和機の室内機。
【請求項７】
前記ねじ締結されている箇所が、前記室内機本体に備えられた送風機の中心よりも前記室内機本体の前側にあることを特徴とする請求項６に記載の空気調和機の室内機。
【請求項８】
前記フィルタ保持部品は、前記室内機本体に装着された状態で前記室内機本体に掛止して当該フィルタ保持部品を前記室内機本体に対して固定させるツメ部を有することを特徴とする請求項１から７の何れか１項に記載の空気調和機の室内機。
【発明の詳細な説明】
【技術分野】
【０００１】
本発明は、空気調和機の室内機に関する。
【背景技術】
【０００２】
室内機本体の下面に吸込み口を設けた下吸込みの空気調和機の室内機が提案されている（例えば、特許文献１）。
【先行技術文献】
【特許文献】
【０００３】
【特許文献１】日本国特許公報「特開２００７-２８５５３３号公報」
【発明の概要】
【発明が解決しようとする課題】
【０００４】
しかしながら、特許文献１には、下吸込みのための部品に関して詳細な構造等については何ら記載されていない。そのため、何の工夫もなく下吸込みの室内機を作成すると、上吸込みの室内機に比べて、吸込み口のフィルタを支持するフィルタ保持部品の脱着作業が行い難くなり、メンテナンス性が低下する問題が発生する。【０００５】
つまり、上吸込みの場合、吸込み口のフィルタを支持するフィルタ保持部品は室内機の上側に配置される。そのため、フィルタ保持部品は室内機を構成する他の部品の上に置いた状態で固定されており、比較的容易に固定されている。【０００６】
これに対し、下吸込みの場合は、フィルタ保持部品が室内機の下面を形成することとなるため、上吸込みのように室内機を構成する他の部品の上に置いた状態で固定することはできない。そこで、例えば、フィルタ保持部品を、室内機を構成する他の部品の下に配置し、下から上に向かって上下方向に締結して固定することが考えられる。【０００７】
しかしながら、室内機は窓上に配置されることも多く、その場合、室内機の真下にカーテンレールが位置することとなる。また、室内機の真下に家具が配置されていることもある。室内機の真下にカーテンレールや家具等の設置物があると、室内機の下方からドライバー等の治具を用いて螺子を締めたり外したりする作業は行い難く、フィルタ保持部品の脱着時の作業性が低下する。また、室内機と設置物との間に治具を差し込む空間が確保されていない場合は、フィルタ保持部品の脱着自体が困難となる。しかも、室内機を構成する他の部品の上に置いた状態で固定する場合と異なり、締結時、フィルタ保持部品を支えながら作業する必要があり、甚だ作業性が悪い。【０００８】
本発明の一態様は、上記問題点に鑑みなされたもので、下吸込みでありながら、フィルタ保持部品の脱着が容易に行える、メンテナンス性に優れた空気調和機の室内機を提供することを目的としている。
【課題を解決するための手段】
【０００９】
上記の課題を解決するために、本発明の一態様に係る空気調和機の室内機は、室内機本体の下面に空気の吸込み口を有する空気調和機の室内機であって、前記吸込み口に配置されるフィルタを支持するフィルタ保持部品を備え、前記フィルタ保持部品は、前記室内機本体に対して当該室内機本体の前方から当該室内機本体の前後方向に脱着可能に設けられていることを特徴とする。
【発明の効果】
【００１０】
本発明の一態様によれば、下吸込みでありながら、フィルタ保持部品の脱着が容易に行える、メンテナンス性に優れた空気調和機の室内機を提供することができるといった効果を奏する。
【図面の簡単な説明】
【００１１】
【図１】実施の形態１に係る空気調和機の室内機の外観を示す斜視図である。
【図２】上記室内機の縦断面図である。
【図３】上記室内機における室内機本体と、室内機本体より取り外したフィルタ保持部品２０とを示す斜視図である。
【図４】上記室内機における室内機本体の下部の左側キャビネットの内側面に形成された、本体側係止面を示す要部の一部断面斜視図である。
【図５】上記室内機における上記フィルタ保持部品の左壁の外側面に形成された、部品側係止面を示す要部の斜視図である。
【図６】上記室内機における室内機本体の左端部分の縦断面図である。
【図７】上記室内機における室内機本体に対してフィルタ保持部品を装着する途中の状態を示す図６に対応した縦断面図である。
【図８】上記室内機における室内機本体にフィルタ保持部品が締結されている状態を示す斜視図である。
【図９】実施の形態２に係る空気調和機の室内機の縦断面図であり、室内機本体に対してフィルタ保持部品を装着する途中の状態を示している。
【図１０】本実施の形態３に係る空気調和機の室内機の縦断面図であり、室内機本体に対してフィルタ保持部品を装着する途中の状態を示している。
【図１１】本実施の形態４に係る空気調和機の室内機の要部の斜視図である。
【図１２】図１１のＡ−Ａ線断面図である。
【発明を実施するための形態】
【００１２】
〔実施の形態１〕
本発明の実施の形態を図面に基づいて以下に説明する。
【００１３】
図１は、本実施の形態に係る空気調和機の室内機１の外観を示す斜視図である。図２は、上記室内機１の縦断面図である。
【００１４】
図１、図２に示すように、空気調和機の室内機１は、室内機本体２と、室内機本体２の前面に配置される導風板３とを備えている。室内機本体２は、キャビネット４を有しており、キャビネット４の内部に、送風機１３、熱交換器１４等が配されている。なお、室内機本体２を前面（正面）から見て幅方向を左右方向とし、室内機本体２の奥行き方向を前後方向とし、室内機本体２の高さ方向を上下方向とする。
【００１５】
室内機本体２の前面には吹出し口７が形成され、吹出し口７には前記した導風板３が備えられている。室内機本体２の上面には上吸込み口８が形成され、室内機本体２の下面には下吸込み口（吸込み口）９が形成されている。室内機本体２の内部には、上吸込み口８から吹出し口７に至る上空気通路と、下吸込み口９から吹出し口７に至る下空気通路とが形成され、上空気通路と下空気通路とが共通する部分に、送風機１３と熱交換器１４とが配置されている。
【００１６】
上吸込み口８には、第１フィルタ１５が配設されている。上吸込み口８から吸い込まれた空気は、第１フィルタ１５、送風機１３および熱交換器１４を経て吹出し口７から吹き出される。
【００１７】
下吸込み口９には、第２フィルタ１６が配設されている。第２フィルタ１６は、例えばＨＥＰＡフィルタ(High Efficiency Particulate Air Filter)である。下吸込み口９から吸い込まれた空気は、第２フィルタ１６、送風機１３および熱交換器１４を経て吹出し口１７から吹き出される。詳細については後述するが、上記第２フィルタ１６は、室内機本体２に脱着可能に設けられたフィルタ保持部品２０に保持されている。
【００１８】
図３は、上記室内機１における室内機本体２と、室内機本体２より取り外したフィルタ保持部品２０とを示す斜視図である。なお、図３においては、室内機本体２より、導風板３、熱交換器１４等を取り外し、また、キャビネット４の外表面を外し、送風機１３や熱交換器１４等の内部部品を支持するフレームが剥き出しになった状態を示している。
【００１９】
図３に示すように、室内機本体２の前面下部には、熱交換器１４にて生じたドレン水を受け入れるドレンパン１７が配設されている。ドレンパン１７は、右側の端部にてドレン水が排出するためのドレン管１８と接続されている。
【００２０】
室内機本体２において、内部に配置された、送風機１３、熱交換器１４、ドレンパン１７、上空気通路、下空気通路を形成する通路壁となる部材等は、キャビネット４（キャビネット４のフレームの部分）にて支持されている。
【００２１】
フィルタ保持部品２０は、室内機本体２の下部に装着され、室内機本体２の下面を構成する。図３に示すように、フィルタ保持部品２０は、浅型の箱状の部品である。フィルタ保持部品２０は、室内機本体２の下部の右側キャビネット４ａの形状に見合った右壁２０ａと、室内機本体２の下部の左側キャビネット４ｂの形状に見合った左壁２０ｂを有している。
【００２２】
また、フィルタ保持部品２０は、ドレンパン１７の前面の外形形状に見合った前外壁２０ｃと、その内側に設けられた、右壁２０ａおよび左壁２０ｂと連なる前内壁２０ｄを有している。
【００２３】
さらに、フィルタ保持部品２０は、室内機本体２の下部の後側キャビネット４ｃの形状に見合った後壁２０ｅを有している。そして、後壁２０ｅの下端部には、後方に向かって突出するように延設された延長壁２０ｆを有している（図５参照）。
【００２４】
フィルタ保持部品２０の底面は開口されており、開口面にネット２１が張設されている。第２フィルタ１６（図２参照）は、このネット２１の上に設置されている。
【００２５】
このようなフィルタ保持部品２０は、室内機本体２に対して前方から前後方向に脱着可能に設けられている。本実施形態の室内機１においては、フィルタ保持部品２０の左右両側に形成された部品側係止面２５ａと、室内機本体２側に形成された、フィルタ保持部品２０の左右両側に設けられた部品側係止面２５ａをそれぞれ係止する本体側係止面２３ａと、により、フィルタ保持部品２０を前方から前後方向に脱着可能となっている。
【００２６】
図４は、室内機本体２の下部の左側キャビネット４ｂの内側面に形成された、本体側係止面２３ａを示す要部の一部断面斜視図である。
【００２７】
図４に示すように、室内機本体２の下部の左側キャビネット４ｂの内側面に、前後方向に長い凸部２３が形成されている。そして、この凸部２３の上面に、上向きの本体側係止面２３ａが形成されている。本体側係止面２３ａは平坦面である。本体側係止面２３ａは室内機本体２の後方寄りに形成されている。図示してはいないが、室内機本体２の下部の右側キャビネット４ａの内側面にも、凸部２３および本体側係止面２３ａが形成されている。
【００２８】
図５は、上記フィルタ保持部品の左壁２０ｂの外側面に形成された、部品側係止面２５ａを示す要部の斜視図である。
【００２９】
図５に示すように、フィルタ保持部品２０の左壁２０ｂの外側面に、前後方向に長く、フィルタ保持部品２０の装着時に装着方向の先端側となる後壁２０ｅ側が開放された凹部２５が形成されている。そして、この凹部２５の上面に、下向きの部品側係止面２５ａが形成されている。部品側係止面２５ａは平坦面である。凹部２５は、開放されている後壁２０ｅ側が広く、前内壁２０ｄのある前方に向かうほど狭くなる楔型に形成されている。なお、図示してはいないが、フィルタ保持部品２０の右壁２０ａの外側面にも凹部２５および部品側係止面２５ａが形成されている。
【００３０】
図６は、室内機本体２の左端部分の縦断面図である。図７は、室内機本体２に対してフィルタ保持部品２０を装着する途中の状態を示す図６に対応した縦断面図である。
【００３１】
図７に示すように、フィルタ保持部品２０は、室内機本体２の前方から、後方に向かって挿入することで室内機本体２に装着される。本実施形態では、装着時に装着方向の先端側となるフィルタ保持部品２０の後側を少し持ち上げるようにして挿入する。
【００３２】
フィルタ保持部品２０が後方に向かって挿入されるに伴い、室内機本体２の凸部２３がフィルタ保持部品２０の凹部２５内に開放された後端部より入り込み、凹部２５の上面をなす部品側係止面２５ａが、室内機本体２の凸部２３の上に乗り上げる。その後、凸部２３の上面をなす本体側係止面２３ａに、部品側係止面２５ａを沿わせるように、フィルタ保持部品２０を水平にする。水平にすることで、フィルタ保持部品２０の延長壁２０ｆが室内機本体２の後側キャビネット４ｃの底壁４ｃａの下方に入り込む。
【００３３】
この状態で、フィルタ保持部品２０を、延長壁２０ｆが、室内機本体２が取り付けられている壁面に当接するまで挿入する。このとき、フィルタ保持部品２０の部品側係止面２５ａが、室内機本体２の本体側係止面２３ａを摺動するように移動し、フィルタ保持部品２０の延長壁２０ｆが底壁４ｃａの下面を摺動する。
【００３４】
このように、フィルタ保持部品２０を延長壁２０ｆが壁面に突き当たるまで挿入することで、フィルタ保持部品２０の取り付けが完了する。フィルタ保持部品２０は、部品側係止面２５ａが、室内機本体２の本体側係止面２３ａに係止されることで、室内機本体２に支持（担持、保持）される。また、延長壁２０ｆが底壁４ｃａに当接することで、本体側係止面２３ａの前端を支点としたフィルタ保持部品２０の回転が阻止され、フィルタ保持部品２０を安定して支持することができる。
【００３５】
つまり、本実施形態の構成では、部品側係止面２５ａが本体側係止面２３ａに係止されると共に、延長壁２０ｆが底壁４ｃａに当接することで、フィルタ保持部品２０の自重による下方向の動きが規制され、室内機本体２の下部に安定して装着される。
【００３６】
なお、延長壁２０ｆが底壁４ｃａに当接させる構成を採用せずとも、凸部２３の長さを長くすることで、フィルタ保持部品２０の前述した回転を阻止して自重を支えることができる。但し、室内機本体２の正面（前面）より見てドレンパン１７の後方に第２フィルタ１６を配置させる場合、凸部２３の長さが長くなると、フィルタ保持部品２０の挿入時にフィルタ保持部品２０の後側を持ち上げる角度を大きくする必要がある。角度を大きくすると、送風機１３等の他の部品と干渉する恐れがある。そのため、フィルタ保持部品２０の前述した回転を阻止する程度に凸部２３の長さを確保できない場合は、延長壁２０ｆを底壁４ｃａに当接させる構成を採用することが好ましい。
【００３７】
フィルタ保持部品２０は室内機本体２に装着された状態で、フィルタ保持部品２０の前外壁２０ｃはドレンパン１７の前面を覆うように配置される。
【００３８】
図８は、上記室内機１における室内機本体２にフィルタ保持部品２０がねじ締結されている状態を示す斜視図である。なお、図７においても、図３と同様に、室内機本体２より、導風板３、熱交換器１４等を取り外し、また、キャビネット４の外表面を外し、送風機１３や熱交換器１４等の内部部品を支持するフレームが剥き出しになった状態を示している。
【００３９】
図８に示すように、フィルタ保持部品２０は、室内機本体２の下部に装着された状態で、前方より前後方向にねじ締結される。図８の例では、フィルタ保持部品２０の前外壁２０ｃの左右の両端に、フィルタ保持部品２０をドレンパン１７にねじ締結する締結部２７が設けられている。締結部２７において、ねじは軸を前後方向に向けて前方より締結される。
【００４０】
以上のように、上記構成によれば、フィルタ保持部品２０は、室内機本体２に対して室内機本体２の前方から室内機本体２の前後方向に脱着可能に設けられている。これにより、室内機１が窓上に配置され、室内機１の真下にカーテンレールや家具等の設置物が存在していても、フィルタ保持部品２０を容易に脱着することができ、メンテナンス性を良好にできる。
【００４１】
また、上記構成では、フィルタ保持部品２０の左右両側に下向きの部品側係止面２５ａを設け、室内機本体２側に、フィルタ保持部品２０の左右両側に設けられた部品側係止面２５ａをそれぞれ係止する上向きの本体側係止面２３ａを設けている。これによれば、フィルタ保持部品２０の左右に設けられた部品側係止面２５ａが、室内機本体２側に設けられた本体側係止面２３ａに係止されることで、フィルタ保持部品２０の自重が支えられ、支持さてる。これにより、室内機１の前方から前後方向にフィルタ保持部品２０を脱着可能にする構成を容易に実現できる。
【００４２】
また、部品側係止面２５ａおよび本体側係止面２３ａは、前後方向に長い形状としているので、フィルタ保持部品２０の自重が保持され易くなる。特に、上記構成では、延長壁２０ｆが底壁４ｃａに当接させる構成にて、フィルタ保持部品２０の自重が確実に保持される。したがって、フィルタ保持部品２０を締結部２７にて締結する際に、フィルタ保持部品２０を支える必要がなく、締結作業を容易に行うことができる。
【００４３】
また、フィルタ保持部品２０を締結部２７にて締結する構成としているので、フィルタ保持部品２０が所定位置からずれることを防止できる。また、フィルタ保持部品２０と室内機本体２との間に、予期しない隙間ができるようなこともない。このような効果は、少なくとも１箇所締結することで得ることができる。また、締結することで、フィルタ保持部品２０が室内機本体２の構造材としても機能するようになるので、室内機本体２の剛性を高めて、輸送中の振動での破損を防止する効果もある。
【００４４】
また、締結部２７の位置を、送風機１３の中心よりも室内機本体２の前側としているので、締結部２７が送風機１３の陰に隠れるようなことなく、メンテナンス時に容易にアクセスすることができる。
【００４５】
〔実施の形態２〕
本発明の他の実施形態について、以下に説明する。なお、説明の便宜上、上記実施形態にて説明した部材と同じ機能を有する部材については、同じ符号を付記し、その説明を繰り返さない。
【００４６】
図９は、本実施の形態に係る空気調和機の室内機１Ａの縦断面図であり、室内機本体２Ａに対してフィルタ保持部品２０を装着する途中の状態を示している。
【００４７】
図９に示すように、室内機１Ａの室内機本体２Ａにおける本体側係止面２３ａの前端部には、案内部として下方に傾斜した傾斜面３０ａが設けられている。案内部は、フィルタ保持部品２０の装着時に、装着方向の先端側となる部品側係止面２５ａの後端部を本体側係止面２３ａへ案内（誘導）するものである。
【００４８】
傾斜面３０ａは、凸部２３の前端部に延設された傾斜部３０の上面より形成されている。傾斜面３０ａは、本体側係止面２３ａに対して下向きに１０〜４５°傾斜していることが好ましい。
【００４９】
このような傾斜面３０ａを設けることで、フィルタ保持部品２０の部品側係止面２５ａが傾斜面３０ａに誘導されて室内機本体２Ａの凸部２３に上に乗り上げ易くなる。これにより、メンテナンス性がさらに向上すると共に、製造時の組み立て性も向上する。なお、図９では傾斜面３０ａとして平坦面を例示したが、上向きに凸をなす丸みを帯びた面であってもよい。
【００５０】
〔実施の形態３〕
本発明の他の実施形態について、以下に説明する。なお、説明の便宜上、上記実施形態にて説明した部材と同じ機能を有する部材については、同じ符号を付記し、その説明を繰り返さない。
【００５１】
図１０は、本実施の形態に係る空気調和機の室内機１Ｂの縦断面図であり、室内機本体２に対してフィルタ保持部品２０Ｂを装着する途中の状態を示している。
【００５２】
図１０に示すように、フィルタ保持部品２０Ｂにおける部品側係止面２５ａの後端部には、案内部として上方に傾斜した傾斜面３１が設けられている。案内部は、フィルタ保持部品２０Ｂの装着時に、装着方向の先端側となる部品側係止面２５ａの後端部を本体側係止面２３ａへ案内（誘導）するものである。
【００５３】
傾斜面３１は、凹部２５における後壁２０ｅ側の開放された端部の上面を、面取りするように上向きに傾斜させることで形成されている。換言すると、部品側係止面２５ａの後端部を上向きに傾斜させることで形成されている。傾斜面３１は、部品側係止面２５ａに対して上向きに１０〜４５°傾斜していることが好ましい。
【００５４】
このような傾斜面３１を設けることで、フィルタ保持部品２０Ｂは、部品側係止面２５ａの傾斜面３１に誘導されて室内機本体２の凸部２３に上に乗り上げ易くなる。これにより、メンテナンス性がさらに向上すると共に、製造時の組み立て性も向上する。なお、図９では傾斜面３１として平坦面を例示したが、下向きに凸をなす丸みを帯びた面であってもよい。
【００５５】
〔実施の形態４〕
本発明の他の実施形態について、以下に説明する。なお、説明の便宜上、上記実施形態にて説明した部材と同じ機能を有する部材については、同じ符号を付記し、その説明を繰り返さない。
【００５６】
図１１は、本実施の形態に係る空気調和機の室内機１Ｃの要部の斜視図であり、図１２は、図１１のＡ−Ａ線断面図である。
【００５７】
図１１、図１２に示すように、フィルタ保持部品２０Ｃにおける前外壁２０ｃには、ドレンパン１７の上面において、通風路を形成する通路壁となる部材２８に掛止又は嵌合してフィルタ保持部品２０Ｃを室内機本体２に固定させるツメ部２９を有している。このようなツメ部２９は、フィルタ保持部品２０Ｃの左右両側に設けられている。ツメ部２９が掛止又は嵌合する相手側の部材は、通路壁となる部材２８に限るものではなく、室内機本体２を構成する部材（部品）であればよい。また、ツメ部２９を係止又は嵌合させるための窪みを形成させてもよい。フィルタ保持部品２０Ｃにおいて、ツメ部２９を設ける位置も前外壁２０ｃに限るものではない。
【００５８】
このように、フィルタ保持部品２０Ｃを室内機本体２に固定させるツメ部２９を設けることで、例えば、延長壁２０ｆが底壁４ｃａに当接させる構成を採用せずとも、フィルタ保持部品２０の前述した回転を阻止して自重を支えることができる。また、締結部２７を設けることなく、フィルタ保持部品２０Ｃの位置ずれ等を防止できる。
【００５９】
なお、本体側係止面を、室内機本体２の左右のキャビネット４ａ，４ｂの下端部を内側に延設して形成してもよい。この場合、フィルタ保持部品２０の底面の左右の端部が部品側係止面として機能し、内側に延設して形成された本体側係止面を摺動する。
【００６０】
また、室内機本体の左右のキャビネットおよびフィルタ保持部品の左右の壁の何れか一方にガイド溝を設け、他方にガイド溝を摺動する凸部を設けて前後に脱着可能な構成としてもよい。
【００６１】
また、意匠性に問題無い場合は、室内機本体２の左右のキャビネット４ａ，４ｂの外側面に本体側係止面を設け、フィルタ保持部品の左右の壁の内側面に部品側係止面を設ける構成としてもよい。
【００６２】
〔まとめ〕
本発明の態様１に係る空気調和機の室内機１は、室内機本体２の下面に空気の吸込み口９を有する空気調和機の室内機であって、前記吸込み口に配置されるフィルタを支持するフィルタ保持部品２０を備え、前記フィルタ保持部品は、前記室内機本体に対して当該室内機本体の前方から当該室内機本体の前後方向に脱着可能に設けられていることを特徴とする。
【００６３】
本発明の態様２に係る空気調和機の室内機１は、前記態様１において、前記フィルタ保持部品は、左右両側に下向きの部品側係止面２５ａを有し、前記室内機本体は、前記フィルタ保持部品の左右両側に設けられた前記部品側係止面をそれぞれ係止する上向きの本体側係止面２３ａを有する構成とすることもできる。
【００６４】
本発明の態様３に係る空気調和機の室内機１は、前記態様２において、前記部品側係止面および前記本体側係止面は、前後方向に長い構成とすることもできる。
【００６５】
本発明の態様４に係る空気調和機の室内機１は、前記態様２又は３において、前記フィルタ保持部品の装着時に、装着方向の先端側となる前記部品側係止面の後端部を前記本体側係止面へ案内する案内部（傾斜面３０ａ）が、前記本体側係止面の前端部に設けられている構成とすることもできる。
【００６６】
本発明の態様５に係る空気調和機の室内機１は、前記態様２〜４の何れか１項において、前記フィルタ保持部品の装着時に、装着方向の先端側となる前記部品側係止面の後端部を前記本体側係止面へ案内する案内部（傾斜面３１）が、前記部品側係止面の後端部に設けられている構成とすることもできる。
【００６７】
本発明の態様６に係る空気調和機の室内機１は、前記態様１〜５の何れか１項において、前記フィルタ保持部品は前記室内機本体に装着された状態で、前記室内機本体に対して前から後に向かって前後方向にねじ締結されている構成（締結部２７）とすることもできる。
【００６８】
本発明の態様７に係る空気調和機の室内機１は、前記態様６において、前記ねじ締結されている箇所が、前記室内機本体に備えられた送風機の中心よりも前記室内機本体の前側にある構成とすることもできる。
【００６９】
本発明の態様８に係る空気調和機の室内機１は、前記態様１〜７の何れか１項において、前記フィルタ保持部品は、前記室内機本体に装着された状態で前記室内機本体に掛止して当該フィルタ保持部品を前記室内機本体に対して固定させるツメ部（２９）を有する構成とすることもできる。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７１】
１、１Ａ、１Ｂ、１Ｃ  室内機
２、２Ａ  室内機本体
３  導風板
４  キャビネット
４ａ  右側キャビネット
４ｂ  左側キャビネット
４ｃ  後側キャビネット
４ｃａ  底壁
１３  送風機
１４  熱交換器
１５  第１フィルタ
１６  第２フィルタ
１７  ドレンパン
１８  ドレン管
２０、２０Ｂ、２０Ｃ  フィルタ保持部品
２０ａ  右壁
２０ｂ  左壁
２０ｃ  前外壁
２０ｄ  前内壁
２０ｅ  後壁
２０ｆ  延長壁
２１  ネット
２３  凸部
２３ａ  本体側係止面
２５  凹部
２５ａ  部品側係止面
２７  締結部
２８  部材
２９  ツメ部
３０  傾斜部
３０ａ、３１  傾斜面（案内部）
【図１】
2019244396.tif 000003
【図２】
2019244396.tif 000004
【図３】
2019244396.tif 000005
【図４】
2019244396.tif 000006
【図５】
2019244396.tif 000007
【図６】
2019244396.tif 000008
【図７】
2019244396.tif 000009
【図８】
2019244396.tif 000010
【図９】
2019244396.tif 000011
【図１０】
2019244396.tif 000012
【図１１】
2019244396.tif 000013
【図１２】
2019244396.tif 000014
【国際調査報告】
2019244396.tif 000015
2019244396.tif 000016